(57)【要約】【課題】記録テープカートリッジに内蔵された第１記録媒体と、記録された情報を外部から視認可能な第２記録媒体とに、同じ情報を確実に記録することができる記録システム及び記録方法を得る。【解決手段】記録システム３０は、記録テープカートリッジ１０に内蔵され、かつ記録された情報を非接触で読み取り可能なＲＦＩＤタグ２２に記録された情報を読み取る読取部３４と、読取部３４により読み取られた情報を、記録された情報を外部から視認可能なラベル３８に記録する記録部３６と、を備える。【選択図】図２
2018129103.tif 000002
【特許請求の範囲】
【請求項１】
記録テープカートリッジに内蔵され、かつ記録された情報を非接触で読み取り可能な第１記録媒体に記録された情報を読み取る読取部と、
前記読取部により読み取られた情報を、記録された情報を外部から視認可能な第２記録媒体に記録する記録部と、
を備えた記録システム。
【請求項２】
前記第１記録媒体は、ＲＦＩＤタグであり、
前記第２記録媒体は、バーコードラベルである、
請求項１に記載の記録システム。
【請求項３】
前記第１記録媒体に記録された情報は、前記記録テープカートリッジの個体を識別する個体識別情報である、
請求項１又は請求項２に記載の記録システム。
【請求項４】
記録テープカートリッジに内蔵され、かつ記録された情報を非接触で読み取り可能な第１記録媒体に記録された情報を読み取り、
読み取った情報を、記録された情報を外部から視認可能な第２記録媒体に記録する、
記録方法。
【発明の詳細な説明】
【技術分野】
【０００１】
本開示は、記録システム及び記録方法に関する。
【背景技術】
【０００２】
従来、記録テープカートリッジに、記録テープカートリッジを識別する識別情報が印刷されたバーコードラベルと、記録テープカートリッジの製造元情報が記録されたメモリとを設ける技術が提案されている（特許文献１参照）。
【０００３】
また、光記録媒体に設けられたバーコードラベル及びＲＦＩＤ（Radio Frequency IDentifier）タグに、光記録媒体の管理情報を記録する技術が提案されている（特許文献２参照）。
【先行技術文献】
【特許文献】
【０００４】
【特許文献１】特開２００７−３３４９５８号公報
【特許文献２】特開２００６−３１８５１６号公報
【発明の概要】
【発明が解決しようとする課題】
【０００５】
ところで、一般的に、記録された情報を非接触で読み取り可能な第１記録媒体が内蔵され、かつ記録された情報を外部から視認可能な第２記録媒体が設けられた記録テープカートリッジにおいて、第２記録媒体には、以下に示す情報が記録される場合が多い。すなわち、この場合、第２記録媒体には、記録テープカートリッジの設置先における記録テープカートリッジの個体を識別する個体識別情報等の記録テープカートリッジに関する情報が記録される場合が多い。
【０００６】
例えば、特定の記録テープカートリッジに関して記録テープカートリッジの製造元に問い合わせを行う場合、第２記録媒体に記録された情報は、設置先で付与された情報であるため、製造元は、この情報では記録テープカートリッジの個体を特定できない。また、記録テープカートリッジに内蔵された第１記録媒体に記録された情報は、外部から視認できないため、ユーザは、第１記録媒体に記録された情報を視認して製造元に伝えることができない。
【０００７】
第１記録媒体及び第２記録媒体に同じ情報、具体的には、記録テープカートリッジの製造元で管理される情報を記録することで、上記の問題に対処できると考えられる。しかしながら、上記特許文献１及び特許文献２の技術では、第１記録媒体及び第２記録媒体にどのようにして同じ情報を記録するかについては考慮されていない。
【０００８】
本開示は、以上の事情を鑑みて成されたものであり、記録テープカートリッジに内蔵された第１記録媒体と、記録された情報を外部から視認可能な第２記録媒体とに、同じ情報を確実に記録することができる記録システム及び記録方法を提供することを目的とする。
【課題を解決するための手段】
【０００９】
上記目的を達成するために、本開示の記録システムは、記録テープカートリッジに内蔵され、かつ記録された情報を非接触で読み取り可能な第１記録媒体に記録された情報を読み取る読取部と、読取部により読み取られた情報を、記録された情報を外部から視認可能な第２記録媒体に記録する記録部と、を備える。
【００１０】
なお、本開示の記録システムは、第１記録媒体が、ＲＦＩＤタグであり、第２記録媒体が、バーコードラベルであってもよい。
【００１１】
また、本開示の記録システムは、第１記録媒体に記録された情報が、記録テープカートリッジの個体を識別する個体識別情報であってもよい。
【００１２】
一方、上記目的を達成するために、本開示の記録方法は、記録テープカートリッジに内蔵され、かつ記録された情報を非接触で読み取り可能な第１記録媒体に記録された情報を読み取り、読み取った情報を、記録された情報を外部から視認可能な第２記録媒体に記録するものである。
【発明の効果】
【００１３】
本開示によれば、記録テープカートリッジに内蔵された第１記録媒体と、記録された情報を外部から視認可能な第２記録媒体とに、同じ情報を確実に記録することができる。
【図面の簡単な説明】
【００１４】
【図１】実施形態に係る記録テープカートリッジの一例を示す斜視図である。
【図２】実施形態に係る記録システムの構成の一例を示すブロック図である。
【図３】実施形態に係るラベルに記録されるバーコードの一例を示す図である。
【図４】実施形態に係る記録制御装置の電気系の要部構成の一例を示すブロック図である。
【図５】実施形態に係る記録制御処理の流れの一例を示すフローチャートである。
【発明を実施するための形態】
【００１５】
以下、図面を参照して、本開示の技術を実施するための形態例を詳細に説明する。
【００１６】
まず、図１を参照して、本実施形態に係る記録テープカートリッジ１０の構成を説明する。なお、図１において、説明の便宜上、記録テープカートリッジ１０のドライブ装置（図示省略）への装填方向を矢印ＦＲで示す。また、以下では、矢印ＦＲが示す方向を記録テープカートリッジ１０の前方向（前側）とする。また、以下では、矢印ＦＲと直交する矢印ＲＨが示す方向を記録テープカートリッジ１０の右方向（右側）とし、矢印ＦＲ及び矢印ＲＨと直交する矢印ＵＰが示す方向を記録テープカートリッジ１０の上方向（上側）とする。
【００１７】
図１に示すように、本実施形態に係る記録テープカートリッジ１０は、ポリカーボネート（ＰＣ）等の樹脂材により略矩形の箱状に形成されたケース１２を備える。ケース１２の内部には、情報記録再生媒体としての磁気テープ等の記録テープＴが巻かれて装着された樹脂製のリール２０が回転可能に収容される。
【００１８】
ケース１２の右壁における前部には、記録テープＴを引き出すための開口１４が形成される。そして、開口１４から引き出される記録テープＴの自由端部には、ドライブ装置の引出部材（図示省略）によって係止されつつ引き出し操作されるリーダー部材としてのリーダーピン１６が固着される。リーダーピン１６の軸方向の両側には、環状溝１６Ａが形成されており、環状溝１６Ａが、引出部材のフック等に係止される。
【００１９】
また、ケース１２の開口１４の内側には、ケース１２内において、リーダーピン１６を位置決めして保持する上下一対のピン保持部１３が形成される。ピン保持部１３は、記録テープＴを引き出す側が開放された略半円形状とされており、直立状態のリーダーピン１６の軸方向の両端部１６Ｂが、ピン保持部１３の開放側からピン保持部１３内に出入可能とされる。
【００２０】
また、ケース１２の開口１４は、ドア１８によって開閉される。ドア１８は、開口１４を閉塞可能な大きさの略矩形の板状に形成される。開口１４の内側には、ドア１８の上下の端部を摺動可能に挿入させる溝部１５が形成されており、ドア１８がケース１２の右壁に沿って移動可能とされる。
【００２１】
また、ドア１８の前端部には、開閉操作用の凸部１８Ａが右方に向かって突設されている。凸部１８Ａが、記録テープカートリッジ１０のドライブ装置への装填に伴い、ドライブ装置の係合部材（図示省略）と係合することにより、ドア１８が開放される構成とされる。
【００２２】
また、ケース１２には、記録された情報を、無線通信等によって非接触で読み取り可能な第１記録媒体の一例としてのＲＦＩＤタグ２２が内蔵される。なお、図１では、ＲＦＩＤタグ２２が、ケース１２内の右後部に配置された例を示しているが、ＲＦＩＤタグ２２のケース１２内における配置位置は、特に限定されない。ＲＦＩＤタグ２２のケース１２内における配置位置は、例えば、ＲＦＩＤタグ２２に記録された情報が後述する読取部３４によって非接触で読み取り可能な位置であればよい。
【００２３】
本実施形態に係るＲＦＩＤタグ２２は、不揮発性のメモリを含み、ＲＦＩＤタグ２２には、記録テープカートリッジ１０の製造工程において、記録テープカートリッジ１０の製造元における記録テープカートリッジ１０の個体を識別する個体識別情報が記録される。
【００２４】
また、本実施形態に係るＲＦＩＤタグ２２は、読取部３４により発信された電波に応じて、記録された個体識別情報を読取部３４に送信する方式（所謂パッシブ方式）のＲＦＩＤタグとされる。
【００２５】
次に、図２を参照して、本実施形態に係る記録システム３０の構成を説明する。図２に示すように、記録システム３０は、記録制御装置３２、読取部３４、及び記録部３６を備える。記録制御装置３２と読取部３４とは互いに通信可能に接続される。また、記録制御装置３２と記録部３６とは互いに通信可能に接続される。記録制御装置３２の例としては、パーソナル・コンピュータ、及びサーバ・コンピュータ等の情報処理装置が挙げられる。
【００２６】
本実施形態に係る読取部３４は、記録制御装置３２による制御によって、記録テープカートリッジ１０に内蔵されたＲＦＩＤタグ２２に記録された個体識別情報を非接触で読み取り、読み取った個体識別情報を記録制御装置３２に出力する。読取部３４の例としては、ＲＦＩＤリーダーが挙げられる。
【００２７】
本実施形態に係る記録部３６は、記録制御装置３２による制御によって、読取部３４により読み取られた個体識別情報を、記録された情報を外部から視認可能な第２記録媒体の一例としてのラベル３８に記録する。具体的には、記録部３６は、一例として図３に示すように、個体識別情報を示すバーコードＢ、及び個体識別情報を示す数字列Ｓをラベル３８に印刷する。記録部３６の例としては、ラベルプリンターが挙げられる。なお、図３では、バーコードＢとして、一次元コードを例示しているが、バーコードＢは、ＱＲコード（登録商標）等の二次元コードでもよい。ラベル３８に印刷されたバーコードＢは、バーコードリーダー等の光学読み取りが可能な読取装置によって読み取られる。
【００２８】
次に、図４を参照して、本実施形態に係る記録制御装置３２の電気系の要部構成を説明する。図４に示すように、記録制御装置３２は、ＣＰＵ（Central Processing Unit）５０、及び各種プログラムや各種パラメータ等が予め記憶されたＲＯＭ（Read Only Memory）５２を備える。また、記録制御装置３２は、ＣＰＵ５０による各種プログラムの実行時のワークエリア等として用いられるＲＡＭ（Random Access Memory）５４、及びＨＤＤ（Hard Disk Drive）等の不揮発性の記憶部５６を備える。
【００２９】
また、記録制御装置３２は、液晶ディスプレイ等の表示部５８、キーボードとマウス等の入力部６０、及び入出力Ｉ／Ｆ（InterFace）６２を備える。そして、ＣＰＵ５０、ＲＯＭ５２、ＲＡＭ５４、記憶部５６、表示部５８、入力部６０、及び入出力Ｉ／Ｆ６２の各部が、バス６４を介して互いに接続される。また、入出力Ｉ／Ｆ６２には、読取部３４及び記録部３６が接続される。
【００３０】
次に、図５を参照して、本実施形態に係る記録システム３０の作用を説明する。記録制御装置３２のＣＰＵ５０が記録制御プログラムを実行することによって、図５に示す記録制御処理が実行される。なお、この記録制御プログラムは、記録制御装置３２のＲＯＭ５２に予めインストールされている。また、図５に示す記録制御処理は、例えば、ユーザにより入力部６０を介して実行指示が入力された場合に実行される。また、本実施形態では、ユーザは、読取部３４によってＲＦＩＤタグ２２に記録された情報を読み取り可能な位置に記録テープカートリッジ１０を配置した後に、入力部６０を介して記録制御処理の実行指示を入力するものとする。
【００３１】
図５のステップＳ１０で、ＣＰＵ５０は、読取部３４に対し、ＲＦＩＤタグ２２に記録された個体識別情報を読み取らせる制御を行い、読取部３４により読み取られた個体識別情報を、入出力Ｉ／Ｆ６２を介して取得する。具体的には、ＣＰＵ５０は、読取部３４に対し、電波を発信させる制御を行う。この制御によって読取部３４から発信された電波をＲＦＩＤタグ２２が受信すると、ＲＦＩＤタグ２２は、ＲＦＩＤタグ２２に記録された個体識別情報を読取部３４に送信する。読取部３４は、ＲＦＩＤタグ２２から送信された個体識別情報を受信し、受信した個体識別情報を記録制御装置３２に出力する。そして、ＣＰＵ５０は、読取部３４から出力された個体識別情報を入出力Ｉ／Ｆ６２を介して取得する。
【００３２】
次のステップＳ１２で、ＣＰＵ５０は、ステップＳ１０で取得された個体識別情報を用いて、記録部３６に対し、バーコードＢ及び数字列Ｓをラベル３８に印刷する制御を行う。具体的には、ＣＰＵ５０は、ステップＳ１０で読み取られた個体識別情報を用いて、図３に示すバーコードＢ及び数字列Ｓを含む画像を示す画像データを生成する。そして、ＣＰＵ５０は、生成した画像データを、入出力Ｉ／Ｆ６２を介して記録部３６に出力する。記録部３６は、入出力Ｉ／Ｆ６２を介してＣＰＵ５０から入力された画像データが示す画像をラベル３８に印刷する。本ステップＳ１２の処理が終了すると、本記録制御処理が終了する。本ステップＳ１２の処理でバーコードＢ及び数字列Ｓが印刷されたラベル３８は、例えば、ケース１２の背面に貼り付けられる。
【００３３】
なお、図５に示す記録制御処理は、記録テープカートリッジ１０の製造元で実行されてもよいし、記録テープカートリッジ１０の出荷先で実行されてもよい。
【００３４】
以上説明したように、本実施形態によれば、記録テープカートリッジに内蔵され、かつ記録された情報を非接触で読み取り可能な第１記録媒体に記録された情報を読み取り、読み取った情報を、記録された情報を外部から視認可能な第２記録媒体に記録する。従って、記録テープカートリッジに内蔵された第１記録媒体と、記録された情報を外部から視認可能な第２記録媒体とに、同じ情報を確実に記録することができる。
【００３５】
また、本実施形態によれば、第１記録媒体に記録された個体識別情報を、第２記録媒体に記録する。一般的に、第１記録媒体には、記録テープカートリッジの製造元において、一意な個体識別情報が記録される。従って、本実施形態によれば、記録テープカートリッジの設置先によらず、一意な個体識別情報を第２記録媒体に記録することができる。
【００３６】
なお、上記実施形態では、記録された情報を非接触で読み取り可能な第１記録媒体として、ＲＦＩＤタグ２２を適用した場合について説明したが、これに限定されない。例えば、第１記録媒体として、無線通信機能を搭載したメモリカードを適用する形態としてもよい。
【００３７】
また、上記実施形態では、記録された情報を外部から視認可能な第２記録媒体として、ラベル３８を適用した場合について説明したが、これに限定されない。例えば、第２記録媒体として、普通紙等の用紙を適用する形態としてもよい。
【００３８】
また、上記実施形態では、第１記録媒体に個体識別情報が記録されている場合について説明したが、これに限定されない。例えば、第１記録媒体に、記録テープカートリッジ１０の製造日及び製造元名等の個体識別情報以外の記録テープカートリッジ１０に関する情報が記録されている形態としてもよい。
【００３９】
また、上記実施形態では、ＲＦＩＤタグ２２として、パッシブ方式のＲＦＩＤタグを適用した場合について説明したが、これに限定されない。例えば、ＲＦＩＤタグ２２として、電波を発信する方式（所謂アクティブ方式）のＲＦＩＤタグを適用する形態としてもよい。
【００４０】
また、上記実施形態では、記録部３６が、個体識別情報をラベル３８に印刷する場合について説明したが、これに限定されない。例えば、記録部３６が、レーザー及びインク等を用いて、個体識別情報をケース１２の外周面（例えば、背面）の所定の位置に形成する形態としてもよい。
【００４１】
また、上記実施形態では、記録制御プログラムがＲＯＭ５２に予め記憶（インストール）されている態様を説明したが、これに限定されない。記録制御プログラムは、ＣＤ−ＲＯＭ（Compact Disk Read Only Memory）、ＤＶＤ−ＲＯＭ（Digital Versatile Disk Read Only Memory）、及びＵＳＢ（Universal Serial Bus）メモリ等の記録媒体に記録された形態で提供されてもよい。また、記録制御プログラムは、ネットワークを介して外部装置からダウンロードされる形態としてもよい。
【符号の説明】
【００４２】
１０  記録テープカートリッジ
１２  ケース
１３  ピン保持部
１４  開口
１５  溝部
１６  リーダーピン
１６Ａ  環状溝
１６Ｂ  両端部
１８  ドア
１８Ａ  凸部
２０  リール
２２  ＲＦＩＤタグ
３０  記録システム
３２  記録制御装置
３４  読取部
３６  記録部
３８  ラベル
５０  ＣＰＵ
５２  ＲＯＭ
５４  ＲＡＭ
５６  記憶部
５８  表示部
６０  入力部
６２  入出力Ｉ／Ｆ
６４  バス
Ｂ  バーコード
ＦＲ  矢印
ＲＨ  矢印
Ｓ  数字列
Ｔ  記録テープ
ＵＰ  矢印
【図１】
2018129103.tif 000003
【図２】
2018129103.tif 000004
【図３】
2018129103.tif 000005
【図４】
2018129103.tif 000006
【図５】
2018129103.tif 000007